(57)【要約】【課題】治療椅子やインスツルメントの使用条件を患者ごとに記憶したＩＣカードを診察券として用い、該ＩＣカード診察券を用いて、歯科治療ユニット（治療椅子やインスツルメント）の設定を自動的に行うようにし、術者（ドクター）がその都度設定する手間を省くようにした。【解決手段】ＩＣカード診察券１０と、該ＩＣカード診察券１０を読み取るＩＣカードリーダ２０と、該ＩＣカードリーダ２０によって読み取られた情報が設定される歯科治療ユニット３０等から成る。ＩＣカード診察券１０には、患者に対応して設定された治療椅子３１の姿勢、及び、使用インスツルメント３２の使用条件等が記憶されており、治療に先立って、該ＩＣカード診察券１０をカードリーダ２０にて読み取り、治療椅子３１の姿勢、及び、使用インスツルメント３２等の使用条件を自動的に設定する。【選択図】図１
2006000425.tif 000002
【特許請求の範囲】
【請求項１】
ＩＣカード診察券と、該ＩＣカード診察券を読み取るＩＣカードリーダと、該ＩＣカードリーダによって読み取られた情報が設定される歯科治療ユニットから成り、前記ＩＣカード診察券には、患者に対応して設定された治療椅子の姿勢、及び、使用インスツルメントの使用条件が記憶されており、治療に先立って、治療椅子の姿勢、及び、使用インスツルメントの使用条件が自動的に設定されることを特徴とする歯科用治療システム。
【発明の詳細な説明】
【技術分野】
【０００１】
本発明は、歯科用治療システム、より詳細には、診察券としてＩＣカードを用い、このＩＣカードには当該患者に対する治療椅子の最適な姿勢（前回診療時の当該患者の治療に合せた椅子の位置）や、インスツルメントの使用条件（例えば、エアータービンやマイクロモータ等の回転数）が記憶されており、次回診療時、診療に先立って、該ＩＣカード診察券に記憶された情報（データ）を読み取って、該情報に基いて治療椅子やインスツルメントを当該患者の治療に適した状態に設定するようにした歯科用治療システムに関する。
【背景技術】
【０００２】
歯科治療においては、治療椅子の高さ、起倒、チルト等、治療椅子の姿勢やインスツルメントの使用条件を当該患者の治療に合せて調整、記憶し、当該患者の歯科治療中は、この記憶情報に基いて、治療椅子の位置（状態）やインスツルメントの使用条件を自動的に設定するようにしている（特許文献１参照）。
【特許文献１】特開平１１−５６９３５号公報
【発明の開示】
【発明が解決しようとする課題】
【０００３】
しかし、上記従来の歯科治療椅子は、各治療ごとに、治療に先立ってメモリに設定しなければならず、同一の患者であっても、その都度、すなわち、毎回の診療ごとに設定する必要があり、必ずしも、使い勝手が良いものではなかった。
【０００４】
本発明は、上述のごとき実情に鑑みてなされたもので、治療椅子やインスツルメントの使用条件を患者ごとに記憶したＩＣカードを診察券として用い、該ＩＣカード診察券を用いて、歯科治療ユニット（治療椅子やインスツルメント）の設定を自動的に行うようにし、術者（ドクター）がその都度設定する手間を省くようにしたものである。
【課題を解決するための手段】
【０００５】
本発明は、ＩＣカード診察券と、該ＩＣカード診察券を読み取るＩＣカードリーダと、該ＩＣカードリーダによって読み取られた情報が設定される歯科治療ユニットから成り、前記ＩＣカード診察券には、患者に対応して設定された治療椅子の姿勢、及び、使用インスツルメントの使用条件が記憶されており、治療に先立って、治療椅子の姿勢、及び、使用インスツルメントの使用条件が自動的に設定されることを特徴としたものである。
【発明の効果】
【０００６】
本発明は、各患者が携帯所持する診察券をＩＣカード化し、該ＩＣカードに当該患者が歯科治療を受ける際に、予め（又は前回診察時に）記憶された当該患者に対して設定された治療椅子の姿勢やインスツルメントの使用条件を記憶しておき、歯科治療に先立って、当該ＩＣカード診察券に記憶された情報を読み取り、治療椅子の姿勢やインスツルメントの使用条件を当該患者に適合したように自動的に設定するようにしたので、術者（ドクター）は、その都度（各患者の治療ごとに）、これら治療椅子やインスツルメントの使用条件を設定する必要がなく、その設定にかかる手間を省くことができ、診療作業を効果的に行うことができる。
【発明を実施するための最良の形態】
【０００７】
図１は、本発明による歯科用治療システムの一実施例を説明するための要部概略全体構成図で、１０はＩＣカード診察券で、該ＩＣカード診察券は、歯科医院で各患者に対して作成され、各患者は該ＩＣカード診察券を携帯し、歯科治療に先立って、該ＩＣカード診察券を受け付けに提出し、又は、術者（ドクター）又はアシスタントに手渡す。術者又はアシスタントに手渡す場合、治療室には、ＩＣカードリーダ２０が備えられており、該ＩＣカードリーダ２０で読み取られたＩＣカード診察券１０内のデータは、無線又は有線にて歯科治療ユニット３０に伝達され、該歯科治療ユニット３０における治療椅子３１の姿勢（高さ、起倒、チルト等の位置）やインスツルメント３２の回転数等の使用条件を自動的に設定する。
【０００８】
ＩＣカード診察券１０へのデータの書き込みは、例えば、前述のごときメモリ機能を有する歯科治療ユニットにおいて（最近では、メモリ機能を有する歯科治療ユニットがよく使用されている）、患者ごとに、治療に合せて椅子の位置、エアータービンやマイクロモータ等のインスツルメントの回転数等をメモリに設定、記憶して使用することが多いが、ここで設定した条件を、そのままＩＣカード診察券１０に記憶させることによって行う。このように作成されたＩＣカード診察券１０を、次回からの診療に先立ってＩＣカード読み取り装置（ＩＣカードリーダ）２０に読み込ませると、歯科治療ユニット３０はその患者用のＩＣカードに記憶されたメモリ状態に自動的にセットされ、ドクターは、その都度、つまり、患者が変るごとに治療椅子やインスツルメントの設定をする必要はなく、その分の手間を省くことができる。
【０００９】
図１には、ＩＣカード読み取り装置２０を歯科治療ユニット３０とは別体に設けた例を示したが、図２に示すように、ワークテーブル３３に設けたＩＣカードスロット３３ａにＩＣカード診察券１０を入れて読み取らせたり、図３に示すように、ワークテーブル３３に設けられた接触式又は非接触式のパネル３３ｂにＩＣカード診察券１０を接触させ又は近づけて読み取らせるようにする等、ＩＣカードリーダ２０を歯科治療ユニット３０に内蔵させるようにしてもよい。勿論、図１に示したＩＣカードリーダ２０も接触式、非接触式いずれの型式のものでもよい。
【００１０】
図４は、本発明による歯科用治療システムを、複数の歯科治療ユニットを有する歯科医院に適用した場合の一例を説明するための概略配置例を示し、Iは受け付け室、IIは診療室で、受け付け室Iには、ＩＣカード診察券１０を読み取るためのＩＣカードリーダ２０が備えられており、診療室IIには複数の歯科治療ユニット（図示例の場合、３０1,３０2,３０3の３台）が設けられており、各ユニットには夫々モニタ４０1,４０2,４０3が設けられている。ＩＣカードリーダ２０と各歯科治療ユニット３０1〜３０3は有線又は無線にて接続されている。
【００１１】
図示例の場合、ＩＣカードリーダ２０は、院内ＬＡＮに接続され、受け付け室に設置されており、受け付けにてＩＣカード診察券１０がＩＣカードリーダ２０にて読み取られ、歯科治療ユニットの治療椅子３１やインスツルメント３２が、前述のように、該ＩＣカード診察券１０に記憶されているデータに基いて設定され、同時に、該歯科治療ユニット３０1〜３０3に取り付けられているモニタ４０1〜４０3に表示され、同時に、患者の名前が呼び出され、次の患者が術者（ドクター）に知らされる。
【００１２】
なお、ＩＣカード診察券１０には、前述のように、当該患者の個人情報及び当該患者に対応した歯科治療ユニットの使用条件等の情報が記憶されているが、これら情報のみに限定されるものではなく、例えば、患者が好んで聞いたり見たりする音楽や映像をも記憶しておき、治療中、又は、治療の待ち時間中にこれら音楽や映像を自動的に流すようにしてもよい。
【図面の簡単な説明】
【００１３】
【図１】本発明による歯科用治療システムの一実施例を説明するための概略全体構成図である。
【図２】ＩＣカードリーダを歯科治療ユニット内に設けた場合の一例を説明するための要部概略構成図である。
【図３】ＩＣカードリーダを歯科治療ユニット内に設けた場合の他の例を説明するための要部概略構成図である。
【図４】歯科治療ユニットを複数有する歯科医院に本発明を適用した場合の一例を説明するための要部配置例を示す図である。
【符号の説明】
【００１４】
１０…ＩＣカード診察券、２０…ＩＣカードリーダ、３０，３０1〜３０3…歯科治療ユニット、３１…治療椅子、３２…インスツルメント、４０1〜４０3…モニタ。
【図１】
2006000425.tif 000003
【図２】
2006000425.tif 000004
【図３】
2006000425.tif 000005
【図４】
2006000425.tif 000006